(57)【要約】      （修正有）【課題】保管や装着が簡単で、かさばらず、大きくボリュームアップした状態にセットした髪形が型崩れせず、耐久性に優れた頭髪整形補助具を提供する。【解決手段】本頭髪整形補助具は、両端部分で連結された大小２つの円弧もしくは台形（以下円弧状という）により、当該円弧状部分の中央部が頭髪を嵩あげするために離間させてなる本体部と、当該本体部の上面ならびに下面にそれぞれ本体部と一体に形成された頭髪保持部を備え、各頭髪保持部は複数の突起を、頭髪保持用空間を空けた状態で突出形成させるとともに、前記大小２つの円弧状部分の間に縦桟と円弧状部分を左右にかけわたされた横桟部分からなる補強用リブを設けて構成した。【選択図】図１
0003152681.tif 000002
【実用新案登録請求の範囲】
【請求項１】
両端部分で連結された大小２つの円弧もしくは台形（以下円弧状という）により、当該円弧状部分の中央部が頭髪を嵩あげするために離間させてなる本体部と、当該本体部の上面ならびに下面にそれぞれ本体部と一体に形成された頭髪保持部を備え、各頭髪保持部は複数の突起を、頭髪保持用空間を空けた状態で突出形成させるとともに、前記大小２つの円弧状部分の間に縦桟と円弧状部分を左右にかけわたされた横桟部分からなる補強用リブを設けたことを特徴とする頭髪整形補助具。
【請求項２】
本体部が同一形状に形成された二つ割りに形成された割形片を組み合わせて形成されていることを特徴とする請求項１に記載の頭髪整形補助具。
【請求項３】
頭髪保持部が、突起の先端が鏃形に形成されていることを特徴とする請求項１または請求項１または請求項２に記載の頭髪整形補助具。
【考案の詳細な説明】
【技術分野】
【０００１】
本考案は、所望する髪形を簡単に形成するための頭髪整形補助具に関するものである。
【背景技術】
【０００２】
頭髪を整えるときに使用するものとしては、特許文献１に示される一般に「カチューシャ」といわれる頭髪バンド形式のものや特許文献２に示される頭髪用のクリップが知られている。
【０００３】
上記カチューシャは、主として前髪が垂れてきたり、風等で髪が乱れたりするのを防止するために髪をおさえこむためのものであり、頭髪用のクリップは、束ねた髪を固定するものであることから、長い頭髪を嵩上げしてボリュームアップするときに使用することができない。
そこで、ボリュームアップする場合、一般的には自分の髪で逆毛を立てたり、添え毛、付け毛や足し毛といわれる「髢」が使用されたりしている。
【０００４】
ところが、逆毛を立てる場合、髪への負担、特に毛根部分への負担が大きく、髪を傷めたり、抜け毛の原因になったりする。
また、「髢」を使用する場合、「髢」は毛髪と同様、湿度や温度、時間経過等で徐々に変化しやすく、セットした形状を長く保つことが難しいという問題があった。
また、「髢」はかさばる上に保管等が難しい上に、一人で装着するのは至難の技であることから、若い女性に広く普及していないのが現状である。
【先行技術文献】
【特許文献】
【０００５】
【特許文献１】特開２０００−９３２２７号公報
【特許文献２】特開２００９−８２６９０号公報
【考案の概要】
【考案が解決しようとする課題】
【０００６】
そこで、本考案にかかる頭髪整形補助具は、上記問題点に鑑みて提案されたもので、保管や装着が簡単で、かさばらず、大きくボリュームアップした状態にセットした髪形が形崩れせず、耐久性に優れた頭髪整形補助具を提供することができるようにすることを目的とするものである。
【課題を解決するための手段】
【０００７】
上記目的を達成するために、本考案にかかる頭髪整形補助具は、両端部分で連結された大小２つの円弧もしくは台形（以下円弧状という）により、当該円弧状部分の中央部が頭髪を嵩あげするために離間させてなる本体部と、当該本体部の上面ならびに下面にそれぞれ本体部と一体に形成された頭髪保持部を備え、各頭髪保持部は複数の突起を、頭髪保持用空間を空けた状態で突出形成させるとともに、前記大小２つの円弧状部分の間に縦桟と円弧状部分を左右にかけわたされた横桟部分からなる補強用リブを設けたことを最も主要な特徴とするものである。
【０００８】
また、本考案にかかる頭髪整形補助具は、本体部が同一形状に形成された二つ割りに形成された割形片を組み合わせて形成されていることや、頭髪保持部が、前記突起の先端を鏃形に形成したことも特徴とするものである。
【考案の効果】
【０００９】
本考案にかかる頭髪整形補助具は、両端部分で連結された大小２つの円弧もしくは台形により、当該円弧状部分の中央部が頭髪を嵩あげするために離間させてなる本体部と、当該本体部の上面ならびに下面にそれぞれ本体部と一体に形成された頭髪保持部を備え、各頭髪保持部は複数の突起を、頭髪保持用空間を空けた状態で突出形成させるとともに、前記大小２つの円弧状部分の間に縦桟と円弧状部分を左右にかけわたされた横桟部分からなる補強用リブを設けて構成してあるので、上下に設けられた突起の間に形成される頭髪保持用空間に髪が保持され、頭髪整形補助具のずれ動きが防止される。
斯くして、縦桟と円弧状部分を左右にかけわたされた横桟部分からなる補強用リブにより、円弧状部分を大きくして頭髪のかさ上げを大きくしたボリュームアップが可能となる。
【００１０】
しかも、大きなボリュームアップを図るために大きく離して形成された大小２つの円弧状は、その中間部分が円弧状部分に左右の端寄り部分に縦桟と、円弧状部分を左右にかけわたされた横桟部分からなる補強用リブで補強されていることから、頭髪整形補助具全体の肉厚を薄くして軽量化や原料の節約による経済化を図ることもできる。
【００１１】
また、本考案にかかる頭髪整形補助具では従来のクリップや頭髪バンドのように、一人で簡単に装着できる上、「髢」のように嵩張らずクリップや頭髪バンドとともに保管することができる利点もある。
【００１２】
さらに、本体部を、同一形状に形成された二つ割りに形成された割形片を組み合わせて形成するようにしたものでは、本体部を形成するために金型の点数を半減することができ、安価に実施することができる利点もある。
【００１３】
加えて、本考案にかかる頭髪整形補助具において、円弧状の上面部分の頭髪保持部を、突起の先端を鏃形に形成したものでは、当該頭髪整形補助具をしっかりと頭髪に食い込ませて固定することができ、滑ることがないので、髪形が崩れることが無く、美しい髪形を長時間にわたって維持することができる利点もある。
【図面の簡単な説明】
【００１４】
【図１】は本考案にかかる頭髪整形補助具の正面図である。
【図２】は図１におけるA―A線断面図である。
【図３】は本考案にかかる頭髪整形補助具の使用手順を示す斜視図である。
【図４】は本考案にかかる頭髪整形補助具の使用手順を示す斜視図である。
【図５】は本考案にかかる頭髪整形補助具の使用手順を示す斜視図である。
【考案を実施するための形態】
【００１５】
以下、本考案の頭髪整形補助具にかかる最も好ましい実施の形態を図面に基づいて説明する。
【実施例】
【００１６】
図１は本考案にかかる頭髪整形補助具の正面図、図２はは図１のA―A線断面図であって、図中符号１は頭髪整形補助具を全体的に示す。
この頭髪整形補助具１は、両端部分で連結された曲率の大きな円弧２の上に曲率の小さな円弧３の大小２つの円弧により半月状に形成された本体部４と、この本体部４の上面５及び下面６の夫々に本体部４と一体に形成された頭髪保持部７・８とを備えてなる。
尚、大小２つの円弧により形成される半月状の本体部４は、必ずしも円弧で形成されたものに限られず、図示は省略したが大小２つの台形あるいは本体部４の上部もしくは下部のいずれかが台形であってもよく、以後、これらを含めて本体部の形状を円弧状という。
【００１７】
上記本体部４は、合成樹脂（ABS樹脂）により後述する頭髪保持部７・８を一体成形した２つの割形片９・１０を組み付けて形成されている。
この割形片９・１０は、曲率の大きな円弧の上に曲率の小さな円弧をその両端部で連結することにより、中央部分が離間し、その空間が左右の両端側で徐々に狭くなるように形成されており、空間の中間部分には縦桟１1で支えられた１本の横桟１２で形成された補強用リブ１７が形成されている。
また、割形片９・１０の裏面（割形片同士を接合する面）側には中央部分を線対称とする位置に突起１３とこれが嵌合する嵌合用の穴１４とが１組ずつ形成されている。
【００１８】
そして、本体部４の円弧状の上面５及び下面６のそれぞれに形成される頭髪保持部７・８は、図１に示すように先端が鏃形をした板状突起１５を等間隔に複数突出させ、この板状突起１５・１５間に頭髪保持空間１６・１６が形成されている。
また、前記補強用リブ１７は本体部分４が成形されるときに一体に形成されている。
【００１９】
上記のように構成された頭髪整形補助具１を用いて頭髪１８をボリュームアップするための使用手順を次に説明する。
先ず、割形片９・１０の裏面同士向かい合わせにし、一方の割形片９・１０の突起１３とこれが対面する他方の割形片１０・９の嵌合用の穴１４とを嵌合させて図１に示す頭髪整形補助具１を形成する。
この突起１３と嵌合用の穴１４との嵌合には摩擦嵌合によりしっかりと嵌合するようになっているが、接着剤により固定することも可能である。
【００２０】
次に、ボリュームアップする部分の頭髪１８の一部（例えば半分）を掴みあげ、図３に示すように、頭髪整形補助具１の下面に形成された頭髪保持部８を残された頭髪１８の中に挿入し、頭髪保持空間１６に頭髪１８を保持させることにより、頭髪整形補助具１を下部の頭髪１８にしっかりと固定する。
このとき、頭髪整形補助具１の下面６に形成された頭髪保持部８が下向きで、その先端部分が鏃方に形成されていることから、頭髪整形補助具１を上方から下方に向けて押し下げるだけで頭髪１８を頭髪保持空間１６内に案内して食い込ませることができる。
【００２１】
頭髪整形補助具１を下部の頭髪１８にしっかりと固定されると、これまで掴みあげていた髪１８を頭髪整形補助具１の上面５部分を覆うように降ろし、頭髪整形補助具１の上面５に形成された頭髪保持空間１６に頭髪１８の一部を挿入する。
斯くして、頭髪１８内に装着された頭髪整形補助具１は、縦桟１１と円弧状部分を左右にかけわたされた横桟１２部分からなる補強用リブ１７により、円弧状部分を大きく（高く）し、頭髪１８のかさ上げを大きくしたボリュームアップしながら、その上下の頭髪保持空間１６に挿入された頭髪１８によりずれ動くことなくしっかりと固定されて、図４および図５に示すような頭髪１８をボリュームアップした髪形が完成する。
【００２２】
これにより、頭髪整形補助具１で整えられた髪形１８は、湿度や雨・風、温度等によっても型崩れすることがなく、その髪形を長く維持することができる。
以上の説明で明らかなように、本考案の頭髪整形補助具１による頭髪１８の整形は、頭髪整形補助具１を従前のクリップや櫛と同様に使用できるので、一人でも手早く、簡単に行える。
【００２３】
因みに、上記のようにして頭髪１８の中に本考案にかかる頭髪整形補助具１により髪形を整形した後、図示は省略したが、左右の側方の頭髪を寄せて頭髪整形補助具１の後方部分（後頭部分）でまとめてバンドやクリップで固定すると、髪形の保持性能をいっそう向上させることができる利点がある。
また、上記実施の形態では、頭髪整形補助具１の本体部４を、２つの割形片９・１０を組み付けて形成するようにしてあるがこうしたものに限られず、１つものとして樹脂成型することも可能である。
【００２４】
さらに上記実施の形態では、頭髪整形補助具１をABS樹脂で成型するようにしてあるが、こうした合成樹脂に限られることはないが、スプレーを使用することがあることを考慮すると、耐有機溶剤性のある合成樹脂で成型することが望ましい。
加えて、上記実施の形態では、本体部の円弧状の上面に形成される頭髪保持部１６を、その先端が２重の鏃形をした板状突起１５にしてあるが、これを櫛歯形状にすることもできる。
【符号の説明】
【００２５】
１・・・頭髪整形補助具
２・３・・・円弧
４・・・本体部
７・８・・・頭髪保持部
９・１０・・・割形片
１１・・・縦桟
１２・・・横桟
１５・・・突片（板状突起）
１６・・・頭髪保持空間
１７・・・補強用リブ
１８・・・頭髪
【図１】
0003152681.tif 000003
【図２】
0003152681.tif 000004
【図３】
0003152681.tif 000005
【図４】
0003152681.tif 000006
【図５】
0003152681.tif 000007